(57)【特許請求の範囲】
【請求項１】
表示部に表示される表示アイテムのＲＧＢ成分それぞれの明度を変更する明度変更手段と、
前記表示部の表示アイテムに関する操作を検知する検知手段と、
前記表示部が暗所にあると判定された場合には、前記表示アイテムに関する部分が赤色で表示されるように前記表示部の前記表示アイテムに関する部分のＧＢ成分を変更前の明度から第一の明度まで下げるように変更して赤色表示をするよう前記明度変更手段を制御し、
前記赤色表示をしている間の第一の期間に前記検知手段によって前記表示部の表示アイテムに関する第一の操作が検出された場合には、前記赤色表示をしたままにし、
前記第一の期間に前記検知手段によって前記第一の操作が検出されないまま前記第一の期間が経過した場合には、少なくともＧ成分またはＢ成分のいずれか一方を前記第一の明度よりも高い第二の明度まで上げるように前記明度変更手段を制御する制御手段とを有することを特徴とする表示制御装置。
【請求項２】
前記赤色表示は、前記表示アイテムを赤色で、背景を黒色で表示されるようにする表示であることを特徴とする請求項１に記載の表示制御装置。
【請求項３】
前記制御手段は、前記表示アイテムに関する部分の少なくともＧ成分またはＢ成分のいずれか一方を表示中の明度から前記第一の明度まで下げると共に、さらにＲ成分を表示中の明度から上げることで前記赤色表示をするように前記明度変更手段を制御するように制御することを特徴とする請求項１または２に記載の表示制御装置。
【請求項４】
照度を計測する照度計測手段をさらに有し、
前記制御手段は、前記照度計測手段により所定の明るさより暗いと判定された場合には、前記赤色表示をすることを特徴とする請求項１乃至３の何れか１項に記載の表示制御装置。
【請求項５】
前記表示部における輝度を変更する輝度変更手段をさらに有し、
前記制御手段は、前記赤色表示をすると共に、前記表示アイテムに関する部分を第一の輝度で表示をするように前記輝度変更手段を制御し、
前記制御手段は、前記赤色表示をしている間に、前記第一の操作がされないまま前記第一の期間が経過したことに応じて、前記表示アイテムに関する部分を前記第一の輝度よりも低い第二の輝度で表示するように前記輝度変更手段を制御することを特徴とする請求項１乃至４の何れか１項に記載の表示制御装置。
【請求項６】
前記制御手段は、前記第二の輝度で表示をしてから、前記検知手段によって前記表示部の表示項目に関する第二の操作を検知するまでの経過時間に応じて段階的に前記第二の輝度から輝度を下げるように前記輝度変更手段を制御することを特徴とする請求項５に記載の表示制御装置。
【請求項７】
前記制御手段は、前記第二の輝度で表示をしてから、前記検知手段によって前記表示部の表示項目に関する第二の操作を検知するまでの経過時間に応じて、前記表示アイテムに関する部分の少なくともＧ成分またはＢ成分のいずれか一方の明度を段階的に前記第二の明度から上げるように前記明度変更手段を制御することを特徴とする請求項５または６に記載の表示制御装置。
【請求項８】
前記制御手段は、前記表示アイテムに関する部分が前記第二の輝度で表示されてから表示中の表示項目に関する操作があった場合には、前記表示アイテムに関する部分の少なくともＧ成分またはＢ成分のいずれか一方の明度を上げること、または輝度を下げることの少なくとも一方を中止するように制御することを特徴とする請求項６または７に記載の表示制御装置。
【請求項９】
前記制御手段は、前記表示アイテムに関する部分が表示される輝度が前記第二の輝度から第三の輝度まで下がったことに応じて、輝度を下げることを中止するように制御することを特徴とする請求項６に記載の表示制御装置。
【請求項１０】
前記第一の輝度は１００ｃｄ／ｍ２以上であることを特徴とする請求項５項に記載の表示制御装置。
【請求項１１】
前記表示アイテムに関する操作状態とは、表示中の表示アイテムの選択操作もしくは表示アイテムを変更する操作状態であることを特徴とする請求項１乃至１０の何れか１項に記載の表示制御装置。
【請求項１２】
前記制御手段は、前記照度計測手段により前記所定の明るさより明るいと判定されたことに応じて、前記赤色表示から前記赤色表示をする前の表示になるようにＧＢ成分を前記第二の明度よりも高い明度まで上げるように前記明度変更手段を制御することを特徴とする請求項４に記載の表示制御装置。
【請求項１３】
前記表示制御装置は、撮像装置に用いられる表示制御装置であって、
前記撮像装置は、暗所撮影に適した設定が可能な暗所モードと明所撮影に適した設定が可能な明所モードとを含む複数の撮影モードのうちいずれかに切替えるモード切替手段を有し、
前記制御手段は、前記モード切替手段により、前記暗所モードに切り替えられた場合に、前記表示部が暗所にあると判定された場合には、前記表示アイテムに関する部分が赤色で表示されるように前記表示部の前記表示アイテムに関する部分のＧＢ成分を変更前の明度から第一の明度まで下げるように変更して赤色表示をするよう前記明度変更手段を制御し、
前記赤色表示をしている間の第一の期間に前記検知手段によって前記表示部の表示アイテムに関する第一の操作が検出された場合には、前記赤色表示をしたままにし、
前記第一の期間に前記検知手段によって前記第一の操作が検出されないまま前記第一の期間が経過した場合には、少なくともＧ成分またはＢ成分のいずれか一方を前記第一の明度よりも高い第二の明度まで上げるように前記明度変更手段を制御することを特徴とする請求項１乃至１２の何れか１項に記載の表示制御装置。
【請求項１４】
計時手段をさらに有し、
前記制御手段は、前記計時手段により計時された時刻が所定の時間帯である場合には、前記表示部が暗所にあると判定された場合には、前記表示アイテムに関する部分が赤色で表示されるように前記表示部の前記表示アイテムに関する部分のＧＢ成分を変更前の明度から第一の明度まで下げるように変更して赤色表示をするよう前記明度変更手段を制御し、
前記赤色表示をしている間の第一の期間に前記検知手段によって前記表示部の表示アイテムに関する第一の操作が検出された場合には、前記赤色表示をしたままにし、
前記第一の期間に前記検知手段によって前記第一の操作が検出されないまま前記第一の期間が経過した場合には、少なくともＧ成分またはＢ成分のいずれか一方を前記第一の明度よりも高い第二の明度まで上げるように前記明度変更手段を制御することを特徴とする請求項１乃至１３の何れか１項に記載の表示制御装置。
【請求項１５】
前記表示部はタッチパネルであることを特徴とする請求項１乃至１４の何れか１項に記載の表示制御装置。
【請求項１６】
表示部に表示される表示アイテムのＲＧＢ成分それぞれの明度を変更する明度変更ステップと、
前記表示部の表示アイテムに関する操作を検知する検知ステップと、
前記表示部が暗所にあると判定された場合には、前記表示アイテムに関する部分が赤色で表示されるように前記表示部の前記表示アイテムに関する部分のＧＢ成分を変更前の明度から第一の明度まで下げるように変更して赤色表示をするよう前記明度変更ステップを制御し、
前記赤色表示をしている間の第一の期間に前記検知ステップにおいて前記表示部の表示アイテムに関する第一の操作が検出された場合には、前記赤色表示をしたままにし、
前記第一の期間に前記検知ステップにおいて前記第一の操作が検出されないまま前記第一の期間が経過した場合には、少なくともＧ成分またはＢ成分のいずれか一方を前記第一の明度よりも高い第二の明度まで上げるように制御する制御ステップとを有することを特徴とする表示制御装置の制御方法。
【請求項１７】
コンピュータを、請求項１乃至１５のいずれか１項に記載された表示制御装置の各手段として機能させるためのプログラム。
【請求項１８】
コンピュータを、請求項１乃至１５のいずれか１項に記載された表示制御装置の各手段として機能させるためのプログラムを格納したコンピュータが読み取り可能な記録媒体。
【発明の詳細な説明】
【技術分野】
【０００１】
本発明は、暗所に対応した表示を行う表示制御装置およびその制御方法、プログラム、コンピュータが読み取り可能な記録媒体に関する。
【背景技術】
【０００２】
暗所において表示する色彩を赤色に変更することで、暗所においても視認性が損なわれないことが知られている。特許文献１において、暗所においては暗順応しているときには比視感度が大きく低下する赤色の光のみで映像を表示することが開示されている。
【先行技術文献】
【特許文献】
【０００３】
【特許文献１】特開２００６−８５０１１号公報
【発明の概要】
【発明が解決しようとする課題】
【０００４】
しかしながら、上記のように赤色表示をした場合には、赤色を認識できない色覚異常である者にとっては、表示内容自体を認識できないことがある。
【０００５】
本発明は、上記の課題に鑑み、暗所等に適した赤色表示をする際に、赤色を認識できない色覚異常等がある場合にも表示に対する視認性を向上させた表示制御装置の提供を目的とする。
【課題を解決するための手段】
【０００６】
表示部に表示される表示アイテムのＲＧＢ成分それぞれの明度を変更する明度変更手段と、前記表示部の表示アイテムに関する操作を検知する検知手段と、前記表示部が暗所にあると判定された場合には、前記表示アイテムに関する部分が赤色で表示されるように前記表示部の前記表示アイテムに関する部分のＧＢ成分を変更前の明度から第一の明度まで下げるように変更して赤色表示をするよう前記明度変更手段を制御し、前記赤色表示をしている間の第一の期間に前記検知手段によって前記表示部の表示アイテムに関する第一の操作が検出された場合には、前記赤色表示をしたままにし、前記第一の期間に前記検知手段によって前記第一の操作が検出されないまま前記第一の期間が経過した場合には、少なくともＧ成分またはＢ成分のいずれか一方を前記第一の明度よりも高い第二の明度まで上げるように前記明度変更手段を制御する制御手段とを有することを特徴とする。
【発明の効果】
【０００７】
本発明によれば、暗所等に適した赤色表示をする際に、色覚異常等があっても表示に対する視認性を向上させることができる。
【図面の簡単な説明】
【０００８】
【図１】本発明の実施形態の構成を適用可能な装置の一例としてのデジタルカメラの外観図
【図２】本発明の実施形態の構成を適用可能な装置の一例としてのデジタルカメラの構成例を示すブロック図
【図３】本実施形態における暗所対応表示に関する処理を示すフローチャート
【図４】本実施形態におけるデジタルカメラの表示の一例を示す図
【図５】本実施形態におけるデジタルカメラの表示の輝度を示す図
【発明を実施するための形態】
【０００９】
以下、図面を参照して本発明の好適な実施形態を説明する。
【００１０】
図１には表示制御装置の一例としてのデジタルカメラ１００の外観図を示す。表示部２８は画像や各種情報を表示する表示部である。シャッターボタン６１は撮影指示を行うための操作部である。モード切替スイッチ６０は各種モードを切り替えるための操作部である。コネクタ１１２は例えばＰＣやプリンタと接続するための接続ケーブル１１１とデジタルカメラ１００に接続するためのコネクタである。操作部７０はユーザからの各種操作を受け付ける各種スイッチ、ボタン、タッチパネル等の操作部材より成る操作部である。コントローラホイール７３は操作部７０に含まれる回転操作可能な操作部材である。電源スイッチ７２は、電源オン、電源オフを切り替えるための押しボタンである。記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となり記録や再生が可能となる。蓋２０２は記録媒体スロット２０１の蓋である。図においては、蓋２０２を開けて記録媒体スロット２０１から記録媒体２００の一部を取り出して露出させた状態を示している。
【００１１】
図２は、本実施形態によるデジタルカメラ１００の構成例を示すブロック図である。
【００１２】
図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１３】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００１４】
システム制御部５０は、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００１５】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。また、同様に表示部２８は画像以外にもメニュー画面（撮影やデジタルカメラ１００に関する設定を行う画面）を表示することもできる。メニュー画面で設定できる項目の一例としては、ＩＳＯの設定や時刻の設定ができる。
【００１６】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１７】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１８】
さらに、表示制御部５４は、表示部２８に表示する画像や表示アイテムをＲ（赤）、Ｇ（緑）、Ｂ（青）の各色の明度を変えて（明度変更して）様々な色彩で表現をする。各色の明度は０〜２５５の２５６段階で示すことができる。（Ｒ＝０、Ｇ＝０、Ｂ＝０）とすると黒色、（Ｒ＝２５５、Ｇ＝２５５、Ｂ＝２５５）とすると白色として表示される。また、（Ｒ＝２５５、Ｇ＝０、Ｂ＝０）は赤色、（Ｒ＝０、Ｇ＝２５５、Ｂ＝０）は緑色、（Ｒ＝０、Ｇ＝０、Ｂ＝２５５）は青色として表示される。また、表示制御部５４は表示部２８の表示輝度を変更することができる。表示の輝度変更はバックライト等の輝度調整装置を調整することででき、本実施形態においては、表示輝度は０ｃｄ／ｍ２〜３００ｃｄ／ｍ２程度の間で調整することができるものとする。
【００１９】
タイマー５３は各種制御に用いる時間や、内蔵された時計の時間を計測する計時部である。
【００２０】
モード切替スイッチ６０、シャッターボタン６１、操作部７０はシステム制御部５０に各種の動作指示を入力するための操作手段である。
【００２１】
照度計測部９０は、デジタルカメラ１００がある環境周辺の照度を計測する照度センサーである。
【００２２】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。また、撮影モードには夜景撮影モード、天体撮影モードといった暗所において使用されるモードもある。モード切替スイッチ６０で、メニューボタンに含まれるこれらのモードのいずれかに直接切り替えられる。あるいは、モード切替スイッチ６０でメニューボタンに一旦切り換えた後に、メニューボタンに含まれるこれらのモードのいずれかに、他の操作部材を用いて切り替えるようにしてもよい。同様に、動画撮影モードにも複数のモードが含まれていてもよい。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２３】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２４】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２５】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２６】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや光ディスク、磁気ディスク等から構成される。
【００２７】
次に、図３の暗所対応表示に関するフローを図４及び図５を用いて説明する。図４は本実施形態における暗所対応表示を行った時の表示の一例を示しており、図５は本実施形態における時間毎の表示部の輝度の変化の一例を示している。図３の暗所対応表示のフローはデジタルカメラ１００に電源が入り、表示部２８への表示及び表示中の色彩の輝度の変更が可能になると開始される。この処理は、不揮発性メモリ５６に記録されたプログラムをシステムメモリ５２に展開してシステム制御部５０が実行することで実現する。
【００２８】
Ｓ３０１では、システム制御部５０は、表示部２８のメモリ３２に記録されていた色彩で表示アイテムである文字４０１〜文字４０３を表示する。図４（ａ）に示す文字４０１は赤（Ｒ＝２５５、Ｇ＝０、Ｂ＝０）、文字４０２は緑（Ｒ＝０、Ｇ＝２５５、Ｂ＝０）、文字４０３は青（Ｒ＝０、Ｇ＝０、Ｂ＝２５５）に表示されるようにメモリ３２に記録されている。これを通常（赤色表示前に表示中）の明度表示とする。図５（ａ）、（ｂ）は図４（ａ）の文字４０１〜文字４０３を表示する表示部２８の輝度を示しており、各文字はＰ１で示される２５０ｃｄ／ｍ２の輝度で表示される。これを通常の輝度とする。図５（ａ）に示す線Ｃ１はＳ３０７及びＳ３０８において色覚に異常がないと判断された場合の経過時間に応じた表示の輝度を示している。また、図５（ｂ）に示す線Ｃ２はＳ３０７及びＳ３０８において色覚に異常があると判断された場合の経過時間に応じた表示の輝度を示している。
【００２９】
Ｓ３０２では、システム制御部５０は、照度計測部９０によってデジタルカメラ１００の周辺の明るさを検出する。明るさの検出は常に行っていても良いし、２秒や５秒といった所定時間置きに行っても良い。
【００３０】
Ｓ３０３では、システム制御部５０は、検出された明るさが１００ルクス未満か否かを判定する。１００ルクス未満であると判定された場合は、Ｓ３０５へ進み、そうでない場合は、Ｓ３０４へ進む。
【００３１】
Ｓ３０４では、システム制御部５０は、図５のＰ２に示すように表示部２８の輝度を計測された明るさに応じて上げる（Ｐ２ａ）、または下げる（Ｐ２ｂ）。このように、デジタルカメラ１００（表示部２８）の周辺の照度に応じて表示部２８の輝度を変更することにより、視認性が高まる。
【００３２】
Ｓ３０５では、システム制御部５０は、暗所表示（赤色表示）を行う。暗所表示とは、ユーザが暗順応していない間にも暗順応を妨げることなく表示部２８に表示されている画像や表示アイコンといったものを認識できるようにする表示のことである。本実施形態においては、表示アイテムを赤色のみで認識できるようにする赤色表示を行う。動物の視覚を機能させる細胞には主に明るいところで機能し暗いところで機能しない桿体細胞と、暗いところで機能する錐体細胞があり、暗所においては桿体細胞の感度は波長６２５ｎｍ以上（赤色）でほぼ０となる。また、桿体細胞にある光受容体ロドプシンが合成されることにより暗所においても視認性が向上するが、輝度の高いものを見るとロドプシンは分解され、結果的に暗順応が妨げられる。よって、波長６２５ｎｍ以上の色彩については輝度を上げて視認性を保った状態で表示をしても、暗順応が妨げられることがない。図４（ｂ）は、暗所表示をした場合の表示例であり、文字４０４は文字４０１、文字４０５は文字４０２、文字４０６は文字４０３から赤色表示するためにＲＧＢ成分を変更されたものである（ＧＢ成分の明度を赤色表示変更前よりも小さくする）。ただし、文字４０４は文字４０１がもともとＲ成分のみで表示されていたので、ＲＧＢ成分の明度は変更しない。文字４０４〜文字４０６は全て（Ｒ＝２５５、Ｇ＝０、Ｂ＝０）の色で、図５のＰ３に示す２５０ｃｄ／ｍ２の輝度で表示される。赤色表示は文字、項目、画像を示す部分をユーザが認識できるように表示を赤色に置き換えてから再び表示してもよいし、暗所表示用の表示画像をメモリ３２に記録しておいても良い。一般的にＲ成分以外を３．４ｃｄ／ｍ２より高い輝度で表示すると、ロドプシンの分解がロドプシンの合成スピードを上回り暗順応を阻害するため、Ｒ成分以外のＧ成分とＢ成分の明度を低くすることで、赤色以外の色が高い輝度で表示されないようにする。表示部２８の文字４０４〜文字４０６が表示されていない画素及び領域４１３については、ＲＧＢ成分全てを例えば０や３．０ｃｄ／ｍ２（暗順応を阻害しない３．４ｃｄ／ｍ２以下）といった値にすることで、黒色で表示する。よって、黒色の背景に赤色で表示を示す赤色表示をすることによりユーザは、表示部２８の表示内容について認識できる。
【００３３】
Ｓ３０６では、システム制御部５０は、暗順応時間Ｔαの計測を開始する。Ｓ３０６は図５の時間軸上ではＴα＝０の時点である。
【００３４】
Ｓ３０７では、システム制御部５０は、最新のＳ３０６から計測し始めた暗順応時間がＴα＝６秒となったか否かを判定する。６秒経過したと判定した場合は、Ｓ３１７へ進み、そうでない場合は、Ｓ３０８へ進む。
【００３５】
Ｓ３０８では、システム制御部５０は、表示に関する操作があったか否かを判定する。操作があったと判定した場合には、Ｓ３０９へ進み、そうでない場合は、Ｓ３０７へ戻る。赤色表示中に、表示に関する操作があった場合にはユーザは図４（ｂ）のような赤色表示が見えており、赤色表示による暗所表示を継続してもユーザの操作性に影響はないものとし、Ｓ３０９〜Ｓ３１２の赤色表示が見えていると判定された場合のフローに移る。表示に関する操作とは、例えば図４（ｂ）のコントローラホイール７３を回転し文字４０４〜文字４０６のいずれかを選択する操作や、モード切替スイッチ６０の操作でメニュー画面を表示する等の表示項目を変更する操作等である。このとき、異なる画面を表示する場合にも赤色表示をする。これは、表示部２８の表示が見えており、表示中の画像に関する操作や表示中の画像から他の画像に切替えるような操作をユーザが行った場合には、デジタルカメラ１００を操作中のユーザは赤色表示が視認可能であると考えられるためである。また、６秒間表示に関する操作がなかった場合には、操作中のユーザには赤色表示が見えていないものとして（色覚に異常があるものとして）Ｓ３１７以降の赤色表示が見えていないと判定された場合のフローに移る。
【００３６】
Ｓ３０９では、システム制御部５０は、最新のＳ３０６から計測し始めた暗順応時間がＴα＝３０分となったか否かを判定する。３０分経過したと判定した場合は、Ｓ３１０へ進み、そうでない場合は、Ｓ３１１へ進む。１００ルクス未満の環境にデジタルカメラ１００が置かれてから３０分以上経過した場合には、デジタルカメラ１００を持っているユーザも１００ルクス未満の暗所に３０分以上いると考えられる。また、ユーザが３０分以上１００ルクス未満の暗所にいた場合には、暗順応し暗い環境であっても視認性があると考えられる。図５（ａ）の線Ｃ１に示すように色覚に異常がないと判断された場合には、明所であると判断されない限りＴα＝３０分になるまでは輝度は２５０ｃｄ／ｍ２のままであり、表示する色彩の明度は赤色表示（Ｒ＝２５５、Ｇ＝０、Ｂ＝０）である。
【００３７】
Ｓ３１０では、システム制御部５０は、赤色表示している状態（図４（ｂ））から、もともとの色彩関係（図４（ａ））に近づける。つまり、もともと緑色で表示していた文字４０５は、Ｇ成分の明度を上げて（Ｒ＝２５５、Ｇ＝１００、Ｂ＝０）にして、もともと青色で表示していた文字４０６は、Ｂ成分の明度を上げて（Ｒ＝２５５、Ｇ＝０、Ｂ＝１００）にする。また、文字４０４はもともと赤色で表示していたのでここでは（Ｒ＝２５５、Ｇ＝０、Ｂ＝０）のままである。各文字を表示する輝度は図５（ａ）のＰ４に示すように２５０ｃｄ／ｍ２のままである。Ｓ３１０では、暗順応が完了していると考えられるので、各文字をもともとの表示色（暗所表示をする前に表示部２８に表示していた色彩）に近づけることでユーザにとって赤色以外の色彩による表示の認識が可能になり、視認性が向上する。しかし、必ずしもＳ３１０の処理を行う必要はなく、赤色表示のままにしてもよい。
【００３８】
Ｓ３１１では、システム制御部５０は、Ｓ３０２と同様に、照度計測部９０によってデジタルカメラ１００の周辺の明るさを検出する。
【００３９】
Ｓ３１２では、システム制御部５０は、最新のＳ３１１において計測された明るさが１００ルクス以上であるか否かを判定する。１００ルクス以上であると判定された場合は、Ｓ３１３へ進み、そうでない場合は、Ｓ３０９へ戻る。暗所表示を行っている際にもＳ３１１〜Ｓ３１２の処理を行うことで、明所に移動したか否かを判定し、デジタルカメラ１００及びユーザが明所に移動したと判定された場合にはＴαの計測を中止する。
【００４０】
Ｓ３１３では、システム制御部５０は、明順応時間Ｔβの計測を開始する。
【００４１】
Ｓ３１４では、システム制御部５０は、Ｓ３１３から計測し始めた明順応時間がＴβ＝４０秒となったか否かを判定する。４０秒経過したと判定した場合は、Ｓ３０１へ戻り、そうでない場合は、Ｓ３１５へ進む。暗所から明所に移動した場合には、明所から暗所に移動した時と同様に一時的に視覚がなくなるが明順応は暗順応よりもかかる時間が短く、４０秒から１分ほどで明順応し明るい環境でも見えるようになる。よって、明所にきてから４０秒経過すれば視認性があると考えられるので、４０秒経過したことに応じて暗所表示からＳ３０１における明所表示に変更する。
【００４２】
Ｓ３１５では、システム制御部５０は、Ｓ３０２と同様に、照度計測部９０によってデジタルカメラ１００の周辺の明るさを検出する。
【００４３】
Ｓ３１６では、システム制御部５０は、最新のＳ３１５において計測された明るさが１００ルクス以上であったか否かを判定する。１００ルクス以上であると判定された場合は、Ｓ３１４へ戻り、そうでない場合は、Ｓ３０５へ戻る。
【００４４】
Ｓ３１７では、システム制御部５０は、文字４０７〜文字４０９を赤色表示（Ｒ＝２５５、Ｇ＝０、Ｂ＝０）からＧＢ成分を上げた図４（ｃ）に示す表示（Ｒ＝２５５、Ｇ＝５０、Ｂ＝５０）にする。Ｓ３１７〜Ｓ３２５の処理では３つの文字の表示色が同じになるように表示をする。さらに、図５（ｂ）にＰ５に示すように輝度を２５０ｃｄ／ｍ２から１００ｃｄ／ｍ２まで下げる。つまり、図４（ｂ）の赤色で表示されていた文字４０４〜文字４０６は、図４（ｃ）に示す文字４０７〜文字４０９の表示が変更されて（赤色からオレンジ色に変更されて）で表示される。なお、Ｓ３１７は、ユーザは赤色表示が見えていないと判断された場合の処理であるが、赤色表示が見えるユーザでもＳ３０７において６秒間操作を行わなければ（操作状態に応じて）Ｓ３１７の処理に移る。一般的には、ＧＢ成分が３．４ｃｄ／ｍ２以上の明るい輝度で表示されるとロドプシンの分解が合成スピードを超え、暗順応が妨げられるとされているため、Ｓ３１７においても輝度は２５０ｃｄ／ｍ２から１００ｃｄ／ｍ２まで下げる。赤色表示が見えるユーザ（色覚に異常のないユーザ）にとっては、ＧＢ成分を１００ｃｄ／ｍ２で表示すると暗順応を妨げる要因になりうる。しかし、ここで暗順応を妨げない輝度３ｃｄ／ｍ２程度まで下げてしまうと赤色表示の見えないユーザにとっては、視認性が落ちてしまうのでＳ３１７においては輝度１００ｃｄ／ｍ２で表示する。また、色覚に異常のないユーザにとっては、Ｒ成分の明度を下げ、ＧＢ成分のみの明度を大きくすると視認性が落ちる上に暗順応が妨げられるので、Ｓ３１７ではＲ成分の明度を下げることなく、ＧＢ成分の明度のみを上げる。
【００４５】
Ｓ３１８では、システム制御部５０は、毎秒（Ｒ＝０、Ｇ＝１、Ｂ＝１）ずつＲＧＢ成分の明度を変更し、毎秒１ｃｄ／ｍ２ずつ輝度を下げていく。このようにＧＢ成分の明度を段階的に上げていくことで、色覚に異常がある（赤色が認識しにくい）ユーザであっても徐々にＧＢ成分の明度が上がることにより表示を認識できるようになる。また、ＧＢ成分の明度を段階的に上げるので輝度を１００ｃｄ／ｍ２で表示し続けると、色覚に異常のないユーザにとっては明度が上昇したＧＢ成分が１００ｃｄ／ｍ２で表示されることになり、より暗順応しにくい表示となる。よって、輝度は時間の経過に応じて徐々に下げる。
【００４６】
Ｓ３１９では、システム制御部５０は、Ｓ３１８で徐々に下げた輝度が２０ｃｄ／ｍ２になったか否かを判定する。輝度が２０ｃｄ／ｍ２になった（Ｔα＝８６秒、Ｓ３１７から８０秒が経過した）と判定した場合は、Ｓ３２０へ進み、そうでない場合は、Ｓ３２２へ進む。図４（ｄ）には、Ｓ３１９において輝度２０ｃｄ／ｍ２であると判定された場合の（図５（ｂ）のＰ６における）表示部２８の表示例を示しており、Ｓ３１７においてオレンジ色で表示されていた文字４０７〜文字４０９はより白色に近い色で表示される。このとき、図４（ｄ）の文字４１０〜文字４１２は全て（Ｒ＝２５５、Ｇ＝１３０、Ｂ＝１３０）の明度で表示される。よって、Ｓ３１７〜Ｓ３１９のステップでは徐々にＧＢ成分の明度が上がるので、赤色表示が見えないユーザは徐々に表示部２８の表示を認識できるようになる。また、赤色表示が見えないユーザにとっては視認性の高い表示となる。本実施形態においては、ＧＢ成分を上昇させると同時に輝度を下げており、暗所においても輝度があまりに低くなると視認性が低くなるため２０ｃｄ／ｍ２より輝度が下がらないようにするとともにＧＢ成分の明度を上げるのを止める。しかし、視認性が低くなるとする輝度は２０ｃｄ／ｍ２でなくてもよいし、輝度のみ表示する度合いを下げるのを止めてＧＢ成分はユーザからの操作があるまで上げるようにしてもよい。ただし、この場合もＲＧＢ成分が（Ｒ＝２５５、Ｇ＝２５５、Ｂ＝２５５）となった場合には、ＧＢ成分の明度はこれ以上上げない。
【００４７】
Ｓ３２０では、システム制御部５０は、Ｓ３０２と同様に、照度計測部９０によってデジタルカメラ１００周辺の明るさを検出する。
【００４８】
Ｓ３２１では、システム制御部５０は、最新のＳ３２０において計測された明るさが１００ルクス以上であったか否かを判定する。１００ルクス以上であると判定された場合は、Ｓ３１３へ進み、そうでない場合は、Ｓ３２０へ戻る。暗所表示中であっても、Ｓ３２０やＳ３２４において計測された明るさにより明所であると判定された場合には必ずしも図５に示した輝度では表示は行わない。
【００４９】
Ｓ３２２では、システム制御部５０は、Ｓ３０８と同様に表示項目に関する操作があったか否かを判定する。操作があったと判定した場合には、Ｓ３２３へ進み、そうでない場合は、Ｓ３２４へ進む。
【００５０】
Ｓ３２３では、システム制御部５０は、輝度及びＲＧＢ成分の明度を変更するのを中止し、表示中の輝度及びＲＧＢ成分の明度で表示を行う。図５（ｂ）のＰ７に示すように例えばＴα＝６＋α（＜８６秒）後に、ユーザからの操作を検知した場合には、輝度は（１００−α）ｃｄ／ｍ２、ＲＧＢ成分は（Ｒ＝２５５、Ｇ＝５０−α、Ｂ＝５０−α）の明度で表示される。ユーザからの操作が行われたということは、ユーザは表示中のＲＧＢ明度であればユーザは表示内容を認識できると判定できる。よって、ユーザからの操作を検知した場合には、そこでＧＢ成分の明度を上げるのを止める。Ｓ３２３においてユーザの操作があった場合には図５（ｂ）に示す線Ｃ３で示すような輝度で表示される。また、ユーザが表示内容を認識しているにも関わらずＧＢ成分を上げると暗順応を妨げることになるので、ＧＢ成分の明度を上げるのをユーザからの操作が行われたことに応じて止めることで視認性を保ちつつ、必要以上に暗順応を妨げることがない。このとき、何れか一方のみの変更を中止し、他方は変更し続けてもよい。つまり、例えばＧＢ成分の明度を上げるのは止めるが、輝度は明るさに応じた輝度まで再び上げる、もしくは下げることで視認性の高い輝度になる場合がある。
【００５１】
Ｓ３２４では、システム制御部５０は、Ｓ３０２と同様に、照度計測部９０によってデジタルカメラ１００の周辺の明るさを検出する。
【００５２】
Ｓ３２５では、システム制御部５０は、最新のＳ３２４において計測された明るさが１００ルクス以上であったか否かを判定する。１００ルクス以上であると判定された場合は、Ｓ３１３へ進み、そうでない場合は、Ｓ３１８へ戻る。
【００５３】
以上、説明した実施形態によれば、暗所において色覚に異常がない場合には暗順応は阻害されることなく、また視認性のある表示をすることができ、さらに色覚に異常がある場合においても暗順応の阻害を低減しつつ視認性のある表示をすることができる。本実施形態では、赤色表示を認識しているか否かをＳ３０８における赤色表示に対するユーザの操作の有無により判定する。さらに、ユーザが赤色表示を見えていないと判定した場合でも、徐々にＧＢ成分の明度を上げることでユーザが表示内容を認識できるＧＢ成分の明度を操作の有無により判定する。よって、いずれのユーザにとっても暗順応への阻害を低減し、さらにそれぞれのユーザにとって視認性のある表示にすることができる。
【００５４】
また、前述のフローは夜景撮影モード、天体撮影モード、ＩＳＯ高感度設定といった暗所での撮影（暗所撮影）を行う暗所モードもしくは撮影設定に設定された場合に行い、明所での撮影（明所撮影）を行う明所モードでは行わないようにしてもよい。また、夜間であれば長時間暗所において撮影を行う可能性が高いので、夜間にのみ等のある時間帯であることをタイマー５３で計時した時刻が示している場合にのみ前述のフローを行うようにしてもよい。
【００５５】
なお、本実施形態において説明した輝度は一例に過ぎず、ユーザや周辺の輝度に応じて異なる。明所では、ユーザが明所であると判定される明るさにおいてユーザが最も見やすいと感じる（視認性の高い）輝度で表示する（本実施形態における２５０ｃｄ／ｍ２の輝度）。また、本実施形態においてはＳ３１７において色覚に異常のないユーザにとっての暗順応の阻害を低減しつつ、色覚に異常のあるユーザにとってＧＢ成分の視認性を持たせるために輝度１００ｃｄ／ｍ２にするとしたが、１００ｃｄ／ｍ２でなくてもよい。
【００５６】
また、暗順応するまでの時間を３０分、明順応するまでの時間を４０秒であると説明したが、これに限らず暗順応であればユーザや環境によって１時間以上かかることもあれば３０分より短い時間で暗順応することもあるので、Ｔαは１時間や２０分としてもよい。また、明順応も１分以上かかることもあれば２０秒程度で明順応することもあるので、Ｔβも１分や２０秒としてもよい。
【００５７】
上述した値は一例であり、その数値に限定をするわけではない。
【００５８】
また、明所と暗所の境界を１００ルクスとして説明したがこれに限らず、８０ルクスや５０ルクスや１２０ルクスを境界として、それ以下の明るさになったら暗所としてもよいし、所定時間内に所定以上の明るさの変化があったことに応じて暗所としてもよい。
【００５９】
なお、表示制御装置の制御は１つのハードウェアが行ってもよいし、複数のハードウェアが処理を分担することで、装置全体の制御を行ってもよい。
【００６０】
また、上記実施例では所定の操作がなかったという状態（操作状態）を検知しているが、逆に所定の操作があったという状態を検知することに応じて明度を変更してもよい。つまり、上記のように、少なくともＧ成分またはＢ成分の何れか一方を所定の第一の明度よりも高い第二の明度まであげるように明度を変更してもよい。
【００６１】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６２】
また、上述した実施形態においては、本発明をデジタルカメラ１００に適用した場合を例にして説明したが、これはこの例に限定されず輝度及びＲＧＢ成分の明度を変更可能な表示制御装置であれば適用可能である。すなわち、本発明は携帯電話端末や携帯型の画像ビューワ、ファインダーを備えるプリンタ装置、デジタルフォトフレーム、音楽プレーヤー、ゲーム機、電子ブックリーダーなどに適用可能である。
【００６３】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
0005984899.tif 000002
【図２】
0005984899.tif 000003
【図３】
0005984899.tif 000004
【図４】
0005984899.tif 000005
【図５】
0005984899.tif 000006